【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
情報処理方法であって、
第１メタデータ・エントリと第２メタデータ・エントリとを受信する工程と、
該第１メタデータ・エントリと該第２メタデータ・エントリとをディジタル・オブジェクトに相当する群に加える工程と、
該第１メタデータ・エントリと該第２メタデータ・エントリとの各々を参照するのに用いる第１の一意の識別子と第２の一意の識別子とに対するアクセスを備える工程とを備え、該第１の一意の識別子と該第２の一意の識別子が、該第１のメタデータ・エントリのコンテンツと該第２のメタデータ・エントリのコンテンツとの各々に基づいていることを特徴とする情報処理方法。
【請求項２】
コンピュータによって実行される場合に該コンピュータに情報処理方法を行わせる命令を記憶する記録可能な媒体であって、該情報処理方法が、
第１メタデータ・エントリと第２メタデータ・エントリとを受信する工程と、
該第１メタデータ・エントリと該第２メタデータ・エントリとをディジタル・オブジェクトに相当する群に加える工程と、
該第１メタデータ・エントリと該第２メタデータ・エントリとの各々を参照するのに用いる第１の一意の識別子と第２の一意の識別子とに対するアクセスを備える工程とを備え、該第１の一意の識別子と該第２の一意の識別子が、該第１のメタデータ・エントリのコンテンツと該第２のメタデータ・エントリのコンテンツとの各々に基づいていることを特徴とする媒体。
【請求項３】
情報処理システムであって、
第１メタデータ・エントリと第２メタデータ・エントリとを受信する入力と、
該第１メタデータ・エントリと該第２メタデータ・エントリとをディジタル・オブジェクトに相当する群に加える文書処理装置と、
該第１メタデータ・エントリと該第２メタデータ・エントリとを記憶させるメモリと、
該メモリに結合されて、該第１メタデータ・エントリと該第２メタデータ・エントリとの各々を参照するのに用いる第１の一意の識別子と第２の一意の識別子とに対するアクセスを備えるアクセス処理装置とを備え、該第１の一意の識別子と該第２の一意の識別子が、該第１のメタデータ・エントリのコンテンツと該第２のメタデータ・エントリのコンテンツとの各々に基づいていることを特徴とする情報処理システム。
【請求項４】
情報処理装置であって、
第１メタデータ・エントリと第２メタデータ・エントリとを受信する手段と、
該第１メタデータ・エントリと該第２メタデータ・エントリとをディジタル・オブジェクトに相当する群に加える手段と、
該第１メタデータ・エントリと該第２メタデータ・エントリとを記憶させる記憶手段と、
前記記憶手段に記憶された該第１メタデータ・エントリと該第２メタデータ・エントリとの各々を参照するのに用いる第１の一意の識別子と第２の一意の識別子とに対するアクセスを備える手段とを備え、該第１の一意の識別子と該第２の一意の識別子が、該第１のメタデータ・エントリのコンテンツと該第２のメタデータ・エントリのコンテンツとの各々に基づいていることを特徴とする情報処理装置。
【請求項５】
情報処理方法であって、
ディジタル・オブジェクトに相当する群を参照する第１の一意の識別子を送る工程と、
該群におけるメタデータ・エントリ毎の、シーケンス番号と第１の一意の識別子との対を受信する工程とを備えることを特徴とする情報処理方法。
【請求項６】
コンピュータによって実行される場合に該コンピュータに情報処理方法を行わせる命令を記憶する記録可能な媒体であって、該情報処理方法が、
ディジタル・オブジェクトに相当する群を参照する第１の一意の識別子を送る工程と、
該群におけるメタデータ・エントリ毎の、シーケンス番号と一意の識別子との対を受信する工程とを備えることを特徴とする媒体。
【請求項７】
情報処理装置であって、
ディジタル・オブジェクトに相当する群を参照する第１の一意の識別子を送る処理装置と、
該処理装置に結合されて、該群におけるメタデータ・エントリ毎の、シーケンス番号と第１の一意の識別子との対を受信する入力装置とを備えることを特徴とする情報処理装置。
【請求項８】
情報処理装置であって、
ディジタル・オブジェクトに相当する群を参照する第１の一意の識別子を送る手段と、
該群におけるメタデータ・エントリ毎の、シーケンス番号と一意の識別子との対を受信する手段とを備えることを特徴とする情報処理装置。
【請求項９】
情報処理方法であって、
ディジタル・オブジェクトに相当する動的に修正可能なメタデータ・エントリ群に対してアクセスする工程を備え、該メタデータ・エントリ群は第１のメタデータ・エントリ及び第２のメタデータ・エントリを備え、更に、
更なるメタデータ・エントリを該エントリ群に基準に基づいて加えるよう、アクセスを制限する工程を備えることを特徴とする情報処理方法。
【請求項１０】
コンピュータによって実行される場合に該コンピュータに情報処理方法を行わせる命令を記憶する記録可能な媒体であって、該情報処理方法が、
ディジタル・オブジェクトに相当する動的に修正可能なメタデータ・エントリ群に対してアクセスする工程を備え、該メタデータ・エントリ群は第１のメタデータ・エントリ及び第２のメタデータ・エントリを備え、該情報処理方法が更に、
更なるメタデータ・エントリを該エントリ群に基準に基づいて加えるよう、アクセスを制限する工程を備えることを特徴とする媒体。
【請求項１１】
情報処理装置であって、
ディジタル・オブジェクトに相当する動的に修正可能なメタデータ・エントリ群に対してアクセスする手段を備え、該メタデータ・エントリ群は第１のメタデータ・エントリ及び第２のメタデータ・エントリを備え、更に、
更なるメタデータ・エントリを該エントリ群に基準に基づいて加えるよう、アクセスを制限する手段を備えることを特徴とする情報処理装置。
【請求項１２】
情報処理方法であって、
サーチの範囲がハッシュ値と、該サーチのコンテキストとを規定することによって定義される、コンテンツのサーチ要求を受信する工程と、
該サーチを行う工程とを備えることを特徴とする情報処理方法。
【請求項１３】
コンピュータによって実行される場合に該コンピュータに情報処理方法を行わせる命令を記憶する記録可能な媒体であって、該情報処理方法が、
サーチの範囲がハッシュ値と、該サーチのコンテキストとを規定することによって定義される、コンテンツのサーチ要求を受信する工程と、
該サーチを行う工程とを備えることを特徴とする媒体。
【請求項１４】
情報処理装置であって、
サーチの範囲がハッシュ値と、該サーチのコンテキストとを規定することによって定義される、コンテンツのサーチ要求を受信する入力と、
該サーチを行う処理装置とを備えることを特徴とする情報処理装置。
【請求項１５】
情報処理装置であって、
サーチの範囲がハッシュ値と、該サーチのコンテキストとを規定することによって定義される、コンテンツのサーチ要求を受信する手段と、
該サーチを行う手段とを備えることを特徴とする情報処理装置。
【請求項１６】
情報処理方法であって、
ディジタル・オブジェクトから計算される第１の一意の識別子を受信する工程を備え、
該ディジタル・オブジェクトに相当する群が少なくとも、第１メタデータ・エントリと第２メタデータ・エントリとを有し、更に、
該ディジタル・オブジェクトと、該第１メタデータ・エントリと、該第２メタデータ・エントリとのうちの少なくとも１つを、該ディジタル・オブジェクトのコンテンツの関数である暗号化鍵を用いて暗号化する工程を備えることを特徴とする情報処理方法。
【請求項１７】
コンピュータによって実行される場合に該コンピュータに情報処理方法を行わせる命令を記憶する記録可能な媒体であって、該情報処理方法が、
ディジタル・オブジェクトから計算される第１の一意の識別子を受信する工程を備え、該ディジタル・オブジェクトに相当する群が少なくとも、第１メタデータ・エントリと第２メタデータ・エントリとを有し、該情報処理方法が更に、
該ディジタル・オブジェクトと、該第１メタデータ・エントリと、該第２メタデータ・エントリとのうちの少なくとも１つを、該ディジタル・オブジェクトのコンテンツの関数である暗号化鍵を用いて暗号化する工程を備えることを特徴とする媒体。